(57)【要約】本発明は、フィールド（１１）と、回転可能な回転台（１３）と、を具備してなるレクリエイション施設（１０）に関するものである。好ましくは、回転台（１３）には、プレーヤのための高さ位置（２３，２４）が設けられ、これら高さ位置の周縁領域は、複数のプレーヤレーン（２５）に分割され、それらプレーヤレーン（２５）には、ボール供給手段が設けられ、フィールド（１１）には、ボール回収手段が設けられている。好ましくは、フィールドの周縁部には、複数のターゲット構造（１６）が設けられている。
2005534363.tif 000002
【特許請求の範囲】
【請求項１】
レクリエイション施設であって、
フィールドと、回転可能な回転台と、を具備していることを特徴とするレクリエイション施設。
【請求項２】
請求項１記載のレクリエイション施設において、
前記回転台には、プレーヤのための少なくとも１つの高さ位置が設けられ、
この高さ位置の周縁領域が、複数のプレーヤレーンに分割され、
それらプレーヤレーンには、ボール供給手段が設けられ、
前記フィールドには、ボール回収手段が設けられていることを特徴とするレクリエイション施設。
【請求項３】
請求項２記載のレクリエイション施設において、
前記フィールドの周縁部には、複数のターゲット構造が設けられていることを特徴とするレクリエイション施設。
【請求項４】
請求項３記載のレクリエイション施設において、
前記回転台が、前記フィールドの中心から偏心した位置に配置されていることを特徴とするレクリエイション施設。
【請求項５】
請求項４記載のレクリエイション施設において、
前記フィールドの表面が、前記回転台から前記フィールドの前記周縁部に向けて下り勾配となっていることを特徴とするレクリエイション施設。
【請求項６】
請求項５記載のレクリエイション施設において、
前記フィールドが、実質的に皿状の地下表面を覆うようにして懸架された表面として構成されていることを特徴とするレクリエイション施設。
【請求項７】
請求項１記載のレクリエイション施設において、
前記回転台には、プレーヤのための２つの高さ位置が設けられ、
これら２つの高さ位置が、中央支柱に関して互いに上下に離間して配置された、上側の高さ位置および下側の高さ位置とされていることを特徴とするレクリエイション施設。
【請求項８】
請求項７記載のレクリエイション施設において、
前記中央支柱が、回転可能に支持され、
前記中央支柱と前記回転台とが、電源および駆動機構を介して円形経路に沿って回転駆動されることを特徴とするレクリエイション施設。
【請求項９】
請求項８記載のレクリエイション施設において、
前記ボール供給手段と前記ボール回収手段とが、複数のサイズのボールに対応し得るよう構成されていることを特徴とするレクリエイション施設。
【請求項１０】
請求項９記載のレクリエイション施設において、
前記ボール供給手段と前記ボール回収手段とが、複数のボールを備え、
各ボールには、それぞれ個別の読取可能識別コードが付設されていることを特徴とするレクリエイション施設。
【請求項１１】
請求項１０記載のレクリエイション施設において、
前記ボール回収手段が、前記フィールドの前記周縁部から前記中央支柱に向けてボールを戻し得るよう構成されていることを特徴とするレクリエイション施設。
【請求項１２】
請求項１１記載のレクリエイション施設において、
前記ボール回収手段が、前記フィールドの前記周縁部に沿って配置された複数のボール収集トラフを備え、
各ボール収集トラフが、前記周縁部から前記中央支柱に向けて下り勾配とされた地下シャフトを介して、前記中央支柱に連通していることを特徴とするレクリエイション施設。
【請求項１３】
請求項１〜６のいずれか１項に記載のレクリエイション施設において、
前記ボール回収手段が、前記フィールドの前記周縁部に沿って配置された複数の開口を備え、
前記開口が、前記皿状地下表面に対してボールを落下させ得るものとされていることを特徴とするレクリエイション施設。
【請求項１４】
請求項１２または１３記載のレクリエイション施設において、
前記ボール供給手段が、ボール収集選別チャンバを備え、
このボール収集選別チャンバが、各ボールのサイズを選別し得るとともに、選別済みのボールを、対応する前記プレーヤレーンに対して供給し得るよう構成されていることを特徴とするレクリエイション施設。
【請求項１５】
請求項１４記載のレクリエイション施設において、
プレーヤが、前記複数のプレーヤレーンの中の１つのプレーヤレーンから、前記回転台の径方向に沿った軌跡でもって、前記フィールドの前記周縁部に向けて、ボールを放出することを特徴とするレクリエイション施設。
【請求項１６】
請求項１５記載のレクリエイション施設において、
前記プレーヤレーンから前記フィールドの前記周縁部に向けてプレーヤによって放出されたボールを、電子的に追跡し得るようになっていることを特徴とするレクリエイション施設。
【請求項１７】
請求項１６記載のレクリエイション施設において、
前記ターゲット構造が、様々なターゲットイメージを表示し得るよう構成されていることを特徴とするレクリエイション施設。
【請求項１８】
請求項１７記載のレクリエイション施設において、
前記ターゲットイメージには、電子センサ手段が付設され、
この電子センサ手段が、ボールの的中とボールの前記識別コードとを記録し得るよう構成されていることを特徴とするレクリエイション施設。
【請求項１９】
請求項１８記載のレクリエイション施設において、
前記ターゲットイメージには、ポイント付与システムが関連しており、
このポイント付与システムが、ボールを前記ターゲットイメージに的中させたプレーヤに対してポイントを付与し得るよう構成されていることを特徴とするレクリエイション施設。
【請求項２０】
請求項１９記載のレクリエイション施設において、
前記フィールドが、複数のターゲット領域を表示し得るよう構成され、
前記ターゲット領域には、センサが付設され、
このセンサが、ボールの的中とボールの前記識別コードとを検出し得るよう構成されていることを特徴とするレクリエイション施設。
【請求項２１】
請求項２０記載のレクリエイション施設において、
プレーヤに対して付与された前記ポイントが、当該プレーヤが使用している前記プレーヤレーンのところに設置されたディスプレイ手段上に電子的に表示されるようになっていることを特徴とするレクリエイション施設。
【請求項２２】
請求項２１記載のレクリエイション施設において、
プレイ時間中にプレーヤに対して付与された前記ポイントが、スコアとして、中央データベース設備内に格納され、
そのスコアが、その後のプレイ時間中に表示し得るよう、前記データベース設備から読み出し得るものとされていることを特徴とするレクリエイション施設。
【請求項２３】
請求項２２記載のレクリエイション施設において、
前記データベース設備内に格納された前記スコアをプリントアウトし得るようになっていることを特徴とするレクリエイション施設。
【請求項２４】
請求項２３記載のレクリエイション施設において、
前記スコアが、賞贈与システムと関連づけられていることを特徴とするレクリエイション施設。
【請求項２５】
請求項２４記載のレクリエイション施設において、
前記フィールドには、複数のボール砲台が設けられ、
これらボール砲台が、前記回転台の中心から様々な距離のところにおいて径方向に配置され、
前記ボール砲台が、所定の複数の軌跡の中の１つの軌跡に沿ってボールを放出し得るよう構成され、
前記軌跡が、前記プレーヤレーン内に終点を有したものであることを特徴とするレクリエイション施設。
【請求項２６】
請求項２５記載のレクリエイション施設において、
前記軌跡が、サッカーのゲームの際にプレーヤに対して接近するボールの動きを模擬し得るようにして、前記プレーヤレーン上のプレーヤに対してボールを供給し得るものとされていることを特徴とするレクリエイション施設。
【請求項２７】
請求項２６記載のレクリエイション施設において、
前記ボール回収手段が、必要に応じて前記ボール砲台に対してボールを供給し得るよう構成されていることを特徴とするレクリエイション施設。
【請求項２８】
請求項２７記載のレクリエイション施設において、
前記回転台が、設備を備え、
この設備が、売店を含むものとされていることを特徴とするレクリエイション施設。
【請求項２９】
請求項２８記載のレクリエイション施設において、
前記上側の高さ位置には、この上側の高さ位置の周縁部から径方向外向きに突出する安全ネットが設けられていることを特徴とするレクリエイション施設。
【請求項３０】
レクリエイション施設の使用方法であって、
前記レクリエイション施設を、フィールドと、回転可能な回転台と、を具備するものとし、
前記回転台に、プレーヤのための少なくとも１つの高さ位置を設け、
この高さ位置の周縁領域を、複数のプレーヤレーンに分割し、
それらプレーヤレーンに、ボール供給手段を設け、
前記フィールドに、ボール回収手段を設け、
プレーヤを、前記レクリエイション施設の一部において、円弧状経路に沿って移動させることを特徴とするレクリエイション施設の使用方法。
【請求項３１】
請求項３０記載のレクリエイション施設の使用方法において、
前記フィールドを、全体的に卵形の形状とすることを特徴とするレクリエイション施設の使用方法。
【請求項３２】
請求項３１記載のレクリエイション施設の使用方法において、
前記フィールドの周縁部に、複数のターゲット構造を設けることを特徴とするレクリエイション施設の使用方法。
【請求項３３】
請求項３２記載のレクリエイション施設の使用方法において、
前記回転台を、前記フィールドの中心から偏心した位置に配置することを特徴とするレクリエイション施設の使用方法。
【請求項３４】
請求項３３記載のレクリエイション施設の使用方法において、
前記フィールドの表面を、前記回転台から前記フィールドの前記周縁部に向けて下り勾配のものとすることを特徴とするレクリエイション施設の使用方法。
【請求項３５】
請求項３４記載のレクリエイション施設の使用方法において、
前記フィールドを、実質的に皿状の地下表面を覆うようにして懸架された表面として構成することを特徴とするレクリエイション施設の使用方法。
【請求項３６】
請求項３０記載のレクリエイション施設の使用方法において、
前記回転台に、プレーヤのための２つの高さ位置を設け、
これら２つの高さ位置を、中央支柱に関して互いに上下に離間して配置された、上側の高さ位置および下側の高さ位置とすることを特徴とするレクリエイション施設の使用方法。
【請求項３７】
請求項３６記載のレクリエイション施設の使用方法において、
前記中央支柱を、回転可能に支持し、
前記中央支柱と前記回転台とを、電源および駆動機構を介して円形軌道に沿って回転駆動することを特徴とするレクリエイション施設の使用方法。
【請求項３８】
請求項３７記載のレクリエイション施設の使用方法において、
前記ボール供給手段と前記ボール回収手段とを、複数のサイズのボールに対応し得るよう構成することを特徴とするレクリエイション施設の使用方法。
【請求項３９】
請求項３８記載のレクリエイション施設の使用方法において、
前記ボール供給手段と前記ボール回収手段とを、複数のボールを備えたものとし、
各ボールに、それぞれ個別の読取可能識別コードを付設することを特徴とするレクリエイション施設の使用方法。
【請求項４０】
請求項３９記載のレクリエイション施設の使用方法において、
前記ボール回収手段を、前記フィールドの前記周縁部から前記中央支柱に向けてボールを戻し得るよう構成することを特徴とするレクリエイション施設の使用方法。
【請求項４１】
請求項４０記載のレクリエイション施設の使用方法において、
前記ボール回収手段を、前記フィールドの前記周縁部に沿って配置された複数のボール収集トラフを備えたものとし、
各ボール収集トラフを、前記周縁部から前記中央支柱に向けて下り勾配とされた地下シャフトを介して、前記中央支柱に連通したものとすることを特徴とするレクリエイション施設の使用方法。
【請求項４２】
請求項３０〜３６のいずれか１項に記載のレクリエイション施設の使用方法において、
前記ボール回収手段を、前記フィールドの前記周縁部に沿って配置された複数の開口を備えたものとし、
前記開口を、前記皿状地下表面に対してボールを落下させ得るものとすることを特徴とするレクリエイション施設の使用方法。
【請求項４３】
請求項４１または４２記載のレクリエイション施設の使用方法において、
前記ボール供給手段を、ボール収集選別チャンバを備えたものとし、
このボール収集選別チャンバを、各ボールのサイズを選別し得るとともに、選別済みのボールを、対応する前記プレーヤレーンに対して供給し得るよう構成することを特徴とするレクリエイション施設の使用方法。
【請求項４４】
請求項４４記載のレクリエイション施設の使用方法において、
プレーヤが、前記複数のプレーヤレーンの中の１つのプレーヤレーンから、前記回転台の径方向に沿った軌跡でもって、前記フィールドの前記周縁部に向けて、ボールを放出することを特徴とするレクリエイション施設の使用方法。
【請求項４５】
請求項４４記載のレクリエイション施設の使用方法において、
前記プレーヤレーンから前記フィールドの前記周縁部に向けてプレーヤによって放出されたボールを、電子的に追跡することを特徴とするレクリエイション施設の使用方法。
【請求項４６】
請求項４５記載のレクリエイション施設の使用方法において、
前記ターゲット構造を、様々なターゲットイメージを表示し得るよう構成することを特徴とするレクリエイション施設の使用方法。
【請求項４７】
請求項４６記載のレクリエイション施設の使用方法において、
前記ターゲットイメージに、電子センサ手段を付設し、
この電子センサ手段を、ボールの的中とボールの前記識別コードとを記録し得るよう構成することを特徴とするレクリエイション施設の使用方法。
【請求項４８】
請求項４７記載のレクリエイション施設の使用方法において、
前記ターゲットイメージに、ポイント付与システムを関連づけ、
このポイント付与システムを、ボールを前記ターゲットイメージに的中させたプレーヤに対してポイントを付与し得るよう構成することを特徴とするレクリエイション施設の使用方法。
【請求項４９】
請求項４８記載のレクリエイション施設の使用方法において、
前記フィールドを、複数のターゲット領域を表示し得るよう構成し、
前記ターゲット領域に、センサを付設し、
このセンサを、ボールの的中とボールの前記識別コードとを検出し得るよう構成することを特徴とするレクリエイション施設の使用方法。
【請求項５０】
請求項４９記載のレクリエイション施設の使用方法において、
プレーヤに対して付与された前記ポイントを、当該プレーヤが使用している前記プレーヤレーンのところに設置されたディスプレイ手段上に電子的に表示することを特徴とするレクリエイション施設の使用方法。
【請求項５１】
請求項５０記載のレクリエイション施設の使用方法において、
プレイ時間中にプレーヤに対して付与された前記ポイントを、スコアとして、中央データベース設備内に格納し、
そのスコアを、その後のプレイ時間中に表示し得るよう、前記データベース設備から読み出し得るものとすることを特徴とするレクリエイション施設の使用方法。
【請求項５２】
請求項５１記載のレクリエイション施設の使用方法において、
前記データベース設備内に格納された前記スコアをプリントアウトすることを特徴とするレクリエイション施設の使用方法。
【請求項５３】
請求項５２記載のレクリエイション施設の使用方法において、
前記スコアを、賞贈与システムと関連づけることを特徴とするレクリエイション施設の使用方法。
【請求項５４】
請求項５３記載のレクリエイション施設の使用方法において、
前記フィールドに、複数のボール砲台を設け、
これらボール砲台を、前記回転台の中心から様々な距離のところにおいて径方向に配置し、
前記ボール砲台を、所定の複数の軌跡の中の１つの軌跡に沿ってボールを放出し得るよう構成し、
前記軌跡を、前記プレーヤレーン内に終点を有したものとすることを特徴とするレクリエイション施設の使用方法。
【請求項５５】
請求項５４記載のレクリエイション施設の使用方法において、
前記軌跡を、サッカーのゲームの際にプレーヤに対して接近するボールの動きを模擬し得るようにして、前記プレーヤレーン上のプレーヤに対してボールを供給し得るものとすることを特徴とするレクリエイション施設の使用方法。
【請求項５６】
請求項５５記載のレクリエイション施設の使用方法において、
前記ボール回収手段を、必要に応じて前記ボール砲台に対してボールを供給し得るよう構成することを特徴とするレクリエイション施設の使用方法。
【請求項５７】
請求項５６記載のレクリエイション施設の使用方法において、
前記回転台を、設備を備えたものとし、
この設備を、売店を含むものとすることを特徴とするレクリエイション施設の使用方法。
【請求項５８】
請求項５７記載のレクリエイション施設の使用方法において、
前記ボール回収手段を、必要に応じて前記ボール砲台に対してボールを供給し得るよう構成することを特徴とするレクリエイション施設の使用方法。
【請求項５９】
請求項５４記載のレクリエイション施設の使用方法において、
前記上側の高さ位置に、この上側の高さ位置の周縁部から径方向外向きに突出する安全ネットを設けることを特徴とするレクリエイション施設の使用方法。
【発明の詳細な説明】
【技術分野】
【０００１】
本発明は、スポーツの様々な態様に関連した活動に適した設備に関するものであり、より詳細には、娯楽のためにあるいは個人的上達のために特定のスポーツのための器具を実施することができる。
【背景技術】
【０００２】
特定のスポーツのすべてのまたはいくつかの態様を実施するのに特に適した設備が、公知である。例えば、ボーリング場とローンボーリング用芝生とは、そのような設備を提供するものであり、ピンおよびローンボーリングのゲームのすべての態様を実施することができる。ゲームのある種の態様を実施するための設備の例は、ミニゴルフ施設であり、パット用のグリーンとゴルフドライバ用の場所とがある。
【０００３】
後者の例においては、プレーヤには、プレー場所が与えられる、すなわち、ゴルフボールと他の設備とを楽しく使える場所が与えられる。これにより、プレーヤは、簡便な環境下で様々なゴルフストロークを実行することができる。
【０００４】
そのような設備は、例えばサッカーゲームといったような広い場所を要するボールゲームには向いていない。この特定のゲームの実施は、例えば、単独のプレーヤではボールをリターンするのが大変なくらいの十分なオープンスペースでしか、実施することができない。また、娯楽のためにあるいは本格的な仕事のためにボール技術の向上を望む個人にとっては、可能な選択肢がほとんどない。なお、本出願人の知る限りにおいては、本出願に関連性を有する先行技術文献は存在しない。
【発明の開示】
【課題を解決するための手段】
【０００５】
本発明の目的は、上記欠点の少なくとも１つを解決または軽減することである。
【０００６】
したがって、本発明の広義な一形態においては、フィールドと回転可能な回転台とを具備してなるレクリエイション施設が提供される。
【０００７】
好ましくは、回転台には、プレーヤのための少なくとも１つの高さ位置が設けられ、この高さ位置の周縁領域は、複数のプレーヤレーンに分割され、それらプレーヤレーンには、ボール供給手段が設けられ、フィールドには、ボール回収手段が設けられている。
【０００８】
好ましくは、フィールドの周縁部には、複数のターゲット構造が設けられている。
【０００９】
好ましくは、回転台は、フィールドの中心から偏心した位置に配置されている（オフセット配置されている）。
【００１０】
好ましくは、フィールドは、回転台からフィールドの周縁部に向けて下り勾配となっている。
【００１１】
好ましくは、フィールドは、実質的に皿状の地下表面を覆うようにして懸架された表面として構成されている。
【００１２】
好ましくは、回転台には、プレーヤのための２つの高さ位置が設けられ、これら２つの高さ位置は、中央支柱に関して互いに上下に離間して配置された、上側の高さ位置および下側の高さ位置とされている。
【００１３】
好ましくは、中央支柱は、回転可能に支持され、中央支柱と回転台とは、電源および駆動機構を介して円形経路に沿って回転駆動される。
【００１４】
好ましくは、ボール供給手段とボール回収手段とは、複数のサイズのボールに対応し得るよう構成されている。
【００１５】
好ましくは、ボール供給手段とボール回収手段とは、複数のボールを備え、各ボールには、それぞれ個別の読取可能識別コードが付設されている。
【００１６】
好ましくは、ボール回収手段は、フィールドの周縁部から中央支柱に向けてボールを戻し得るよう構成されている。
【００１７】
好ましくは、ボール回収手段は、フィールドの周縁部に沿って配置された複数のボール収集トラフを備え、各ボール収集トラフは、周縁部から中央支柱に向けて下り勾配とされた地下シャフトを介して、中央支柱に連通している。
【００１８】
好ましくは、ボール回収手段は、フィールドの周縁部に沿って配置された複数の開口を備え、開口は、皿状地下表面に対してボールを落下させ得るものとされている。
【００１９】
好ましくは、ボール供給手段は、ボール収集選別チャンバを備え、このボール収集選別チャンバは、各ボールのサイズを選別し得るとともに、選別済みのボールを、対応するプレーヤレーンに対して供給し得るよう構成されている。
【００２０】
好ましくは、プレーヤは、複数のプレーヤレーンの中の１つのプレーヤレーンから、回転台の径方向に沿った軌跡でもって、フィールドの周縁部に向けて、ボールを放出する。
【００２１】
好ましくは、プレーヤレーンからフィールドの周縁部に向けてプレーヤによって放出されたボールを、電子的に追跡し得るようになっている。
【００２２】
好ましくは、ターゲット構造は、様々なターゲットイメージを表示し得るよう構成されている。
【００２３】
好ましくは、ターゲットイメージには、電子センサ手段が付設され、この電子センサ手段は、ボールの的中とボールの識別コードとを記録し得るよう構成されている。
【００２４】
好ましくは、ターゲットイメージには、ポイント付与システムが関連しており、このポイント付与システムは、ボールをターゲットイメージに的中させたプレーヤに対してポイントを付与し得るよう構成されている。
【００２５】
好ましくは、フィールドは、複数のターゲット領域を表示し得るよう構成され、ターゲット領域には、センサが付設され、このセンサは、ボールの的中とボールの識別コードとを検出し得るよう構成されている。
【００２６】
好ましくは、プレーヤに対して付与されたポイントは、当該プレーヤが使用しているプレーヤレーンのところに設置されたディスプレイ手段上に電子的に表示されるようになっている。
【００２７】
好ましくは、プレイ時間中にプレーヤに対して付与されたポイントは、スコアとして、中央データベース設備内に格納され、そのスコアは、その後のプレイ時間中に表示し得るよう、データベース設備から読み出し得るものとされている。
【００２８】
好ましくは、データベース設備内に格納されたスコアをプリントアウトし得るようになっている。
【００２９】
好ましくは、スコアは、賞贈与システムと関連づけられている。
【００３０】
好ましくは、フィールドには、複数のボール砲台が設けられ、これらボール砲台は、回転台の中心から様々な距離のところにおいて径方向に配置され、ボール砲台は、所定の複数の軌跡の中の１つの軌跡に沿ってボールを放出し得るよう構成され、軌跡は、プレーヤレーン内に終点を有したものである。
【００３１】
好ましくは、軌跡は、サッカーのゲームの際にプレーヤに対して接近するボールの動きを模擬し得るようにして、プレーヤレーン上のプレーヤに対してボールを供給し得るものとされている。
【００３２】
好ましくは、ボール回収手段は、必要に応じてボール砲台に対してボールを供給し得るよう構成されている。
【００３３】
好ましくは、回転台は、設備を備え、この設備は、売店を含むものとされている。
【００３４】
好ましくは、上側の高さ位置には、この上側の高さ位置の周縁部から径方向外向きに突出する安全ネットが設けられている。
【００３５】
本発明の他の広義な実施形態においては、レクリエイション施設の使用方法であって、レクリエイション施設を、フィールドと、回転可能な回転台と、を具備するものとし、回転台に、プレーヤのための少なくとも１つの高さ位置を設け、この高さ位置の周縁領域を、複数のプレーヤレーンに分割し、それらプレーヤレーンに、ボール供給手段を設け、フィールドに、ボール回収手段を設け、プレーヤを、レクリエイション施設の一部において、円弧状経路に沿って移動させるというレクリエイション施設の使用方法が提供される。
【００３６】
好ましくは、フィールドを、全体的に卵形の形状とする。
【００３７】
好ましくは、フィールドの周縁部に、複数のターゲット構造を設ける。
【００３８】
好ましくは、回転台を、フィールドの中心から偏心した位置に配置する。
【００３９】
好ましくは、フィールドの表面を、回転台からフィールドの周縁部に向けて下り勾配のものとする。
【００４０】
好ましくは、フィールドを、実質的に皿状の地下表面を覆うようにして懸架された表面として構成する。
【００４１】
好ましくは、回転台に、プレーヤのための２つの高さ位置を設け、これら２つの高さ位置を、中央支柱に関して互いに上下に離間して配置された、上側の高さ位置および下側の高さ位置とする。
【００４２】
好ましくは、中央支柱を、回転可能に支持し、中央支柱と回転台とを、電源および駆動機構を介して円形軌道に沿って回転駆動する。
【００４３】
好ましくは、ボール供給手段とボール回収手段とを、複数のサイズのボールに対応し得るよう構成する。
【００４４】
好ましくは、ボール供給手段とボール回収手段とを、複数のボールを備えたものとし、各ボールに、それぞれ個別の読取可能識別コードを付設する。
【００４５】
好ましくは、ボール回収手段を、フィールドの周縁部から中央支柱に向けてボールを戻し得るよう構成する。
【００４６】
好ましくは、ボール回収手段を、フィールドの周縁部に沿って配置された複数のボール収集トラフを備えたものとし、各ボール収集トラフを、周縁部から中央支柱に向けて下り勾配とされた地下シャフトを介して、中央支柱に連通したものとする。
【００４７】
好ましくは、ボール回収手段を、フィールドの周縁部に沿って配置された複数の開口を備えたものとし、開口を、皿状地下表面に対してボールを落下させ得るものとする。
【００４８】
好ましくは、ボール供給手段を、ボール収集選別チャンバを備えたものとし、このボール収集選別チャンバを、各ボールのサイズを選別し得るとともに、選別済みのボールを、対応するプレーヤレーンに対して供給し得るよう構成する。
【００４９】
好ましくは、プレーヤは、複数のプレーヤレーンの中の１つのプレーヤレーンから、回転台の径方向に沿った軌跡でもって、フィールドの周縁部に向けて、ボールを放出する。
【００５０】
好ましくは、プレーヤレーンからフィールドの周縁部に向けてプレーヤによって放出されたボールを、電子的に追跡する。
【００５１】
好ましくは、ターゲット構造を、様々なターゲットイメージを表示し得るよう構成する。
【００５２】
好ましくは、ターゲットイメージに、電子センサ手段を付設し、この電子センサ手段を、ボールの的中とボールの識別コードとを記録し得るよう構成する。
【００５３】
好ましくは、ターゲットイメージに、ポイント付与システムを関連づけ、このポイント付与システムを、ボールをターゲットイメージに的中させたプレーヤに対してポイントを付与し得るよう構成する。
【００５４】
好ましくは、フィールドを、複数のターゲット領域を表示し得るよう構成し、ターゲット領域に、センサを付設し、このセンサを、ボールの的中とボールの識別コードとを検出し得るよう構成する。
【００５５】
好ましくは、プレーヤに対して付与されたポイントを、当該プレーヤが使用しているプレーヤレーンのところに設置されたディスプレイ手段上に電子的に表示する。
【００５６】
好ましくは、プレイ時間中にプレーヤに対して付与されたポイントを、スコアとして、中央データベース設備内に格納し、そのスコアを、その後のプレイ時間中に表示し得るよう、データベース設備から読み出し得るものとする。
【００５７】
好ましくは、データベース設備内に格納されたスコアをプリントアウトする。
【００５８】
好ましくは、スコアを、賞贈与システムと関連づける。
【００５９】
好ましくは、フィールドに、複数のボール砲台を設け、これらボール砲台を、回転台の中心から様々な距離のところにおいて径方向に配置し、ボール砲台を、所定の複数の軌跡の中の１つの軌跡に沿ってボールを放出し得るよう構成し、軌跡を、プレーヤレーン内に終点を有したものとする。
【００６０】
好ましくは、軌跡を、サッカーのゲームの際にプレーヤに対して接近するボールの動きを模擬し得るようにして、プレーヤレーン上のプレーヤに対してボールを供給し得るものとする。
【００６１】
好ましくは、ボール回収手段を、必要に応じてボール砲台に対してボールを供給し得るよう構成する。
【００６２】
好ましくは、回転台を、設備を備えたものとし、この設備を、売店を含むものとする。
【００６３】
好ましくは、ボール回収手段を、必要に応じてボール砲台に対してボールを供給し得るよう構成する。
【００６４】
好ましくは、上側の高さ位置に、この上側の高さ位置の周縁部から径方向外向きに突出する安全ネットを設ける。
【発明を実施するための最良の形態】
【００６５】
以下、本発明のいくつかの実施形態につき、添付図面を参照しつつ、説明する。
【００６６】
以下、図１〜図３を参照して、本発明の好ましい第１実施形態によるレクリエイション施設（１０）について説明する。
【００６７】
図１は、周縁部（１２）を有した卵形のフィールド（１１）と、フィールドの中心からオフセット配置された回転台（１３）と、を示している。好ましくは、回転台（１３）は、周縁部（１２）よりも、少し高い位置に配置されている。これにより、フィールド（１１）の表面（１４）は、周縁部（１２）に向けて下向きに傾斜している。この傾斜は、ボール（１５）が周縁部（１２）に向けて転がり得るに十分なものとされている。
【００６８】
フィールド（１１）の周縁部（１２）に沿っては、複数のターゲット構造（１６）が配置されている。さらに、周縁部（１２）に沿っては、ボール収集トラフ（１７）が配置されている。さらに、回転台（１３）の中心に向けて下向きに傾斜している地下シャフト（１８）が設けられている。地下シャフト（１８）は、ボール回収手段を形成している。回転台（１３）がフィールドの中心からオフセット配置（偏心配置）されていることにより、回転台（１３）から、周縁部（１２）のターゲット構造（１６）に向けて、できるだけ広い距離をとることができる。
【００６９】
図４に示すような代替可能な好ましい実施形態においては、フィールド（１１）は、皿状の地下表面（２０）上に設置された懸架表面（１９）として構成されている。この場合、地下表面（２０）は、回転台（１３）の中心から、フィールド（１１）の周縁部（１２）に向けて、上り勾配となっている。懸架されたフィールド表面（１８）の周縁開口（２１）により、ボール（１５）を回収することができる。ボールは、皿状地下表面を転がり落ちて、回転台（１３）の中央支柱（２２）のところに収集される。
【００７０】
図２および図３に示すような好ましい実施形態においては、回転台（１３）は、２つのプレーヤ高さ位置を有するものとして構成されている。上側の高さ位置（２３）と下側の高さ位置（２４）とは、中央支柱（２２）の周囲において円形ディスクの形態とされている。各プレーヤ高さ位置の外側環状セグメントは、図１に最も明瞭に示すように、複数のプレーヤレーン（２５）に分割されている。上側の高さ位置（２３）には、さらに、環状の安全ネット（２６）が設けられている。安全ネット（２６）は、周縁部から外向きに張り出している。
【００７１】
回転台（１３）は、ベアリング上において回転可能に支持されており、適切な電源と適切な駆動機構（図示せず）とによって駆動され、これにより、中心軸（２７）回りに回転可能とされている。各プレーヤレーン（２５）は、回転台（１３）を回転させるにつれて、各ターゲット構造（１６）やフィールド（１１）の他の特徴物に対して位置合わせされる。
【００７２】
各プレーヤレーン（２５）には、ボール供給手段（２８）が設けられている。ボール供給手段（２８）に対しては、中央支柱（２２）内に配置された中央ボール分配システム（２９）から、ボールが供給される。好ましい実施形態においては、少なくとも３つのサイズのボール（１５）を、プレーヤ（３０）が選択することができる。これにより、プレーヤを、若年層の子供から大人までとすることができる。
【００７３】
回転台（１３）のボール供給手段（２８）からのボールを選択し得ることに加えて、プレーヤ（３０）は、中心に対する径方向において回転台（１３）から様々な距離のところに配置された多数のボール砲台（３１）の中から任意の砲台を選択して、ボールのパスを受けることができる。パスの種類も、さらに、プレーヤ（３０）によって選択可能である。これにより、ボール砲台（３１）によるボール（１５）の供給および軌跡（３２）は、例えばサッカーのゲーム中に経験するような、典型的な様々なパスを模擬することができる。よって、ボール供給の２つの手法により、プレーヤは、例えば、置いたボールを蹴ることも、ボレーによってボールを蹴ることも、ボールを『ヘディング』することも、ボールを『胸でトラップ』することも、できる。
【００７４】
プレーヤ（３０）によって回転台（１３）から蹴られたあるいは他の方法で放出されたボール（１５）は、周縁部（１２）においていずれかのターゲット構造（１６）に衝突するか、あるいは、短い場合にはフィールド（１１）の傾斜面（１４，１９）上に落ちるか、である。いずれの場合においても、使用後のボール（１５）は、ボール収集トラフ（１７）または周縁開口（２１）内へと転がり、その後、関連する地下シャフト（１８）内をまたは地下表面（２０）上を転がり落ちて、回転台（１３）の中央支柱（２２）へと到達する。
【００７５】
中央支柱（２２）のベースのところには、ボール収集貯蔵チャンバ（３３）が、配置されている。明瞭化のために、図３は、ただ１つのサイズのボールに関してのボール分配システム（２９）を示しているだけであるけれども、プレイに対して提供される各サイズのボールに関しての個別の分配通路を設けることができる。チャンバ（３３）内において大きさを選別した後に、ボール（１５）は、上側の高さ位置（２３）へと押し上げられ、各高さ位置において、プレーヤレーン（２５）に対して供給される。
【００７６】
継続的にプレイを続けるために、複数のボールが次々と供給される。ある好ましい実施形態においては、プレー時間は、回転台の１回転に制限される。
【００７７】
すべてのボールには、それぞれ個別の電子読取可能な識別コードが付設される。ターゲット構造（１６）は、この実施形態においては、様々なターゲットイメージを有したものとされる。各ターゲットイメージには、センサが付設されており、センサは、ボールの衝突とボールの識別コードとを記録し得るものとされている。センサには、特定のターゲットイメージと関連しており、これにより、ポイント付与システムが、ボールを特定のイメージに的中させたプレーヤに対して、ポイントを付与することができる。プレイ時間内にプレーヤが得たポイントは、プレーヤのスコアに加算される。獲得したスコアは、中央データベース設備内に格納され、その後、必要に応じて、読み出される。よって、プレーヤは、一群をなす複数のプレーヤの中で最高スコアを得ることを目標としてプレイすることができる。あるいは、個々のプレーヤは、次回以降のプレイ時間においては、自身のベストスコアに挑戦することができる。
【００７８】
プレーヤがプレイ方法（回転台の供給手段からボールを受けるか、あるいは、砲台からボールを受けるか）を選択し得るよう、また、ターゲット的中や獲得ポイントの伝達手段として、各プレーヤレーンには、プレーヤターミナル（３４）が付設される。プレーヤターミナル（３４）には、選択入力手段と、スコア表示手段と、が設けられている。付加的には、ターミナルは、また、料金収集ステーションとして機能することもできる。これにより、プレーヤは、プレイしようとするプレイ時間の分だけ、プレイ料金を前払いすることができる。付加的には、ターミナルは、プリント手段を備えることができる。これにより、プレーヤは、プレイしたゲームの記録や獲得したポイントをプリント物として受け取ることができる。
【００７９】
さらに好ましい実施形態においては、フィールド（１１）の表面は、回転台の近傍に、複数の区画領域を設けることができる。これら区画領域は、衝突センサおよびコード識別センサが付設される。これにより、プレーヤは、ヘディングやハイキックを練習することができ、選択された区画領域上への着地の正確さを練習することができる。
【００８０】
明らかなように、上述した基本的なレクリエイション施設は、様々な方法で適用することができ、これにより、プレーヤに対して付加的な興味を与えるとともに、レクリエイション施設の操作者に対して付加的な料金徴収システムをもたらす。よって、例示するならば、ある種のターゲットイメージまたは獲得スコアは、特別の賞と関連させることができる。ターゲット構造は、商品広告を付帯することができる。回転台には、売店を付設することができる。
【図面の簡単な説明】
【００８１】
【図１】本発明の好ましい実施形態によるレクリエイション施設を示す平面図である。
【図２】図１のレクリエイション施設を示す断面図である。
【図３】図２の一部を拡大して示す断面図である。
【図４】本発明の他の好ましい実施形態を示す断面図である。
【符号の説明】
【００８２】
１０  レクリエイション施設
１１  フィールド
１２  周縁部
１３  回転台
１４  表面
１５  ボール
１６  ターゲット構造
１７  ボール収集トラフ
１８  地下シャフト
１９  懸架表面
２０  皿状の地下表面
２１  開口
２２  中央支柱
２３  上側の高さ位置
２４  下側の高さ位置
２５  プレーヤレーン
２６  安全ネット
２８  ボール供給手段
２９  中央ボール分配システム
３０  プレーヤ
３１  ボール砲台
３２  軌跡
３３  ボール収集貯蔵チャンバ
【図１】
2005534363.tif 000003
【図２】
2005534363.tif 000004
【図３】
2005534363.tif 000005
【図４】
2005534363.tif 000006
【国際調査報告】
2005534363.tif 000007
2005534363.tif 000008